(57)【要約】【課題】本発明は、通信が頻繁に発生する場合においても、帯域利用効率の大幅な低下を抑えつつ、低遅延で省電力化を図ることを目的とする。【解決手段】本発明では、ＯＬＴ１０４から各ＯＮＵ１０１に信号を送信する時間を予め決定し、ＯＮＵ１０１に通知する。ＯＮＵ１０１はＯＬＴ１０４から通知された情報より、自身宛ての下り信号の送信時間と上り信号の送信許可時間を把握する。自身宛ての下り信号の送信時間以外に受信部をスリープさせ、上り信号の送信許可時間以外に送信部をスリープさせることによって、通信が頻繁に発生する場合においても省電力効果を獲得する。【選択図】図１
2014007707.tif 000002
【特許請求の範囲】
【請求項１】
局側光終端装置と複数の加入者側光通信装置とが接続された受動光ネットワークにおける前記加入者側光通信装置の消費電力低減方法であって、
前記局側光終端装置から前記加入者側通信装置へ送信する下り信号を、前記局側光終端装置において蓄積する下り信号蓄積ステップと、
蓄積された下り信号の送信予定時間を含む下り信号送信情報を、前記局側光終端装置から前記加入者側通信装置へ通知する下り信号送信情報通知ステップと、
前記下り信号送信情報で通知された下り信号の送信予定時間に前記加入者側通信装置における受信部が通常動作モードとなって前記加入者側通信装置が下り信号を受信し、前記下り信号送信情報で通知された下り信号の送信予定時間以外の時刻に前記加入者側通信装置における受信部がショートスリープモードとなる下り信号受信ステップと、
を順に有する加入者側光通信装置の消費電力低減方法。
【請求項２】
前記下り信号送信情報が、各下り信号の各送信開始時刻を含むことを特徴とする請求項１に記載の加入者側光通信装置の消費電力低減方法。
【請求項３】
前記下り信号送信情報が、下り信号の送信終了時刻から次の下り信号の送信開始時刻までの時間を含むことを特徴とする請求項１又は２に記載の加入者側光通信装置の消費電力低減方法。
【請求項４】
前記下り信号送信情報が、下り信号の有無を表す情報を含むことを特徴とする請求項１から３のいずれかに記載の加入者側光通信装置の消費電力低減方法。
【請求項５】
局側光終端装置と複数の加入者側光通信装置とが接続された受動光ネットワークにおいて前記加入者側光通信装置の電力消費を低減するための方法であって、
前記加入者側光通信装置から前記局内光終端装置へ送信する上り信号の送信許可時間を含む上り信号送信情報を、前記局内光終端装置から前記加入者側光通信装置へ通知する上り信号送信情報通知ステップと、
前記上り信号送信情報で通知された上り信号の送信許可時間に前記加入者側通信装置における送信部が通常動作モードとなって前記加入者側通信装置が上り信号を送信し、前記上り信号送信情報で通知された上り信号の送信許可時間以外の時刻に前記加入者側通信装置における送信部がショートスリープモードとなる上り信号送信ステップと、
を順に有する加入者側光通信装置の消費電力低減方法。
【請求項６】
複数の加入者側光通信装置と接続された局側光終端装置であって、
前記局側光終端装置から前記加入者側通信装置へ送信する下り信号を蓄積するキューと、
前記キューに蓄積された下り信号の送信予定時間を決定する下り信号送信情報決定部と、
前記下り信号送信情報決定部にて得られた時刻を示す下り信号送信情報を、前記加入者側通信装置に通知する下り信号送信情報通知部と、
を備える局側光終端装置。
【請求項７】
局側光終端装置から加入者側光通信装置への下り信号の送信時刻が示された下り信号送信情報を受信する受信部と、
前記下り信号送信情報で示された下り信号の送信時刻に送信された下り信号の受信予定時刻は前記受信部への電源供給を行い、当該下り信号の受信予定時刻を除く時刻は前記受信部への電源供給を停止する制御部と、
を備える加入者側光通信装置。
【発明の詳細な説明】
【技術分野】
【０００１】
本発明は、局側光終端装置と複数の加入者側光通信装置とが接続された受動光ネットワークにおける加入者側光通信装置の省電力方法に関する。
【背景技術】
【０００２】
光アクセスシステムにおいて、局側光終端装置（Ｏｐｔｉｃａｌ  Ｌｉｎｅ  Ｔｅｒｍｉｎａｌ：  ＯＬＴ）と複数の加入者側光通信装置（Ｏｐｔｉｃａｌ  Ｎｅｔｗｏｒｋ  Ｕｎｉｔ：  ＯＮＵ）が接続された受動光ネットワーク（Ｐａｓｓｉｖｅ  Ｏｐｔｉｃａｌ  Ｎｅｔｗｏｒｋ：  ＰＯＮ）方式が普及している。
【０００３】
ＰＯＮ方式では、複数のＯＮＵがＯＬＴと通信するために、時間を分割して多元接続を実現している。具体的には、非特許文献１に記載されるように、ＭＰＣＰ（Ｍｕｌｔｉ−Ｐｏｉｎｔ  Ｃｏｎｔｒｏｌ  Ｐｒｏｔｏｃｏｌ）と呼ばれる制御プロトコルが規定されている。
【０００４】
ＰＯＮ方式におけるＯＮＵの消費電力低減を行う方法として、ＯＮＵスリープ技術がある。ＯＮＵスリープ技術は、データが存在しない場合にＯＮＵ内部の各機能部がスリープモードに入ることによって、電力消費量を低減する。非特許文献２では、光アクセスシステムにおける省電力技術として“Ｄｏｚｉｎｇ”と“Ｃｙｃｌｉｃ  ｓｌｅｅｐ”と呼ばれるスリープ方法が規定されている。
【０００５】
Ｄｏｚｉｎｇは、任意のＯＮＵからＯＬＴへ送信する上りデータが存在しない場合に、ＯＮＵの送信部をスリープモードに移行することによって消費電力の低減を実現する。Ｄｏｚｉｎｇでは上りデータの発生を監視し、上りデータを確認したら送信部を通常モードに復帰させ、通信を再開する。
【０００６】
Ｃｙｃｌｉｃ  ｓｌｅｅｐは、上りデータ及びＯＬＴから任意のＯＮＵに送信する下りデータがともに存在しない場合に、該ＯＮＵの送受信部をスリープモードに移行することによって消費電力の低減を実現する。ＯＬＴはＯＮＵがスリープ中に該ＯＮＵに対する下りデータを上位ネットワークより受信した場合、キューに蓄積する。ＯＮＵは周期的に通常モードに復帰してＯＬＴに下りデータ蓄積の有無を問い合わせることによって、送受信部の消費電力を低減しつつ、信号の送受信を可能にする。
【先行技術文献】
【非特許文献】
【０００７】
【非特許文献１】ＩＥＥＥ  Ｓｔｄ  ８０２．３−２００８
【非特許文献２】ＩＴＵ−Ｔ  Ｒｅｃｏｍｍｅｎｄａｔｉｏｎ  Ｇ．９８７．３
【発明の概要】
【発明が解決しようとする課題】
【０００８】
非特許文献２で規定されるＤｏｚｉｎｇやＣｙｃｌｉｃ  ｓｌｅｅｐ等の省電力技術は、データが存在しない場合に送信部または受信部をスリープさせることによって消費電力低減を実現するものである。これらのスリープ技術はデータの有無をトリガとしてスリープするか否かを判断するため、通信が頻繁に発生する状況においては、スリープに入ることができず十分な省電力効果を得ることができない。１台のＯＮＵに多くの端末が接続される状況では、通信が頻繁に発生し、このような問題が顕著になる。
【０００９】
通信が頻繁に発生する場合においても省電力効果を得るためには、データの有無にかかわらず強制的にスリープする方法が有効である。通信が頻繁に発生する場合においても、キューに蓄積して強制的にスリープさせれば、一定の省電力効果を獲得することができる。しかしながら、この時に従来のスリープ技術を適用すると、遅延の増大が問題となる。
【００１０】
本発明は、通信が頻繁に発生する場合においても、帯域利用効率の大幅な低下を抑えつつ、低遅延で省電力化を図ることを目的とする。
【課題を解決するための手段】
【００１１】
上記目的を達成するために、本発明では、ＯＬＴから各ＯＮＵに信号を送信する時間を予め決定し、ＯＮＵに通知する。ＯＮＵはＯＬＴから通知された情報より、自身宛ての下り信号の送信時間と上り信号の送信許可時間を把握する。自身宛ての下り信号の送信時間以外に受信部をスリープさせ、上り信号の送信許可時間以外に送信部をスリープさせることによって、通信が頻繁に発生する場合においても省電力効果を獲得する。
【００１２】
本発明に係る加入者側光通信装置の消費電力低減方法は、局側光終端装置と複数の加入者側光通信装置とが接続された受動光ネットワークにおける前記加入者側光通信装置の消費電力低減方法であって、前記局側光終端装置から前記加入者側通信装置へ送信する下り信号を、前記局側光終端装置において蓄積する下り信号蓄積ステップと、蓄積された下り信号の送信予定時間を含む下り信号送信情報を、前記局側光終端装置から前記加入者側通信装置へ通知する下り信号送信情報通知ステップと、前記下り信号送信情報で通知された下り信号の送信予定時間に前記加入者側通信装置における受信部が通常動作モードとなって前記加入者側通信装置が下り信号を受信し、前記下り信号送信情報で通知された下り信号の送信予定時間以外の時刻に前記加入者側通信装置における受信部がショートスリープモードとなる下り信号受信ステップと、を順に有する。
【００１３】
本発明に係る加入者側光通信装置の消費電力低減方法では、前記下り信号送信情報が、各下り信号の各送信開始時刻を含んでもよい。
【００１４】
本発明に係る加入者側光通信装置の消費電力低減方法では、前記下り信号送信情報が、下り信号の送信終了時刻から次の下り信号の送信開始時刻までの時間を含んでもよい。
【００１５】
本発明に係る加入者側光通信装置の消費電力低減方法は、前記下り信号送信情報が、下り信号の有無を表す情報を含んでもよい。
【００１６】
本発明に係る加入者側光通信装置の消費電力低減方法は、局側光終端装置と複数の加入者側光通信装置とが接続された受動光ネットワークにおいて前記加入者側光通信装置の電力消費を低減するための方法であって、前記加入者側光通信装置から前記局内光終端装置へ送信する上り信号の送信許可時間を含む上り信号送信情報を、前記局内光終端装置から前記加入者側光通信装置へ通知する上り信号送信情報通知ステップと、前記上り信号送信情報で通知された上り信号の送信許可時間に前記加入者側通信装置における送信部が通常動作モードとなって前記加入者側通信装置が上り信号を送信し、前記上り信号送信情報で通知された上り信号の送信許可時間以外の時刻に前記加入者側通信装置における送信部がショートスリープモードとなる上り信号送信ステップと、を順に有する。
【００１７】
本発明に係る局側光終端装置は、複数の加入者側光通信装置と接続された局側光終端装置であって、前記局側光終端装置から前記加入者側通信装置へ送信する下り信号を蓄積するキューと、前記キューに蓄積された下り信号の送信予定時間を決定する下り信号送信情報決定部と、前記下り信号送信情報決定部にて得られた時刻を示す下り信号送信情報を、前記加入者側通信装置に通知する下り信号送信情報通知部と、を備える。
【００１８】
本発明に係る加入者側光通信装置は、局側光終端装置から加入者側光通信装置への下り信号の送信時刻が示された下り信号送信情報を受信する受信部と、前記下り信号送信情報で示された下り信号の送信時刻に送信された下り信号の受信予定時刻は前記受信部への電源供給を行い、当該下り信号の受信予定時刻を除く時刻は前記受信部への電源供給を停止する制御部と、を備える。
【００１９】
なお、上記各発明は、可能な限り組み合わせることができる。
【発明の効果】
【００２０】
本発明によれば、通信が頻繁に発生する場合においても加入者側通信装置において、消費電力の低減を実現できる。
【図面の簡単な説明】
【００２１】
【図１】受動光ネットワーク基本構成図である。
【図２】実施形態１、２におけるタイムチャートの一例である。
【図３】実施形態１のＯＬＴ送信部動作フローの一例である。
【図４】実施形態１のＯＬＴの下り信号送信情報生成手順の一例である。
【図５】実施形態１〜３のＯＮＵ受信部の動作フローの一例である。
【図６】実施形態１のＯＮＵ受信部の下り信号受信手順の一例である。
【図７】実施形態１のＯＮＵ受信部のショートスリープ手順の一例である。
【図８】実施形態１〜３のＯＮＵ送信部の動作フローの一例である。
【図９】実施形態２のＯＬＴの下り信号送信情報生成手順の一例である。
【図１０】実施形態２のＯＮＵ受信部の信号受信手順の一例である。
【図１１】実施形態２のＯＮＵ受信部のショートスリープ手順の一例である。
【図１２】実施形態３のＯＮＵ受信部における電力モードの様子の一例である。
【図１３】実施形態３のＯＬＴの下り信号送信情報生成手順の一例である。
【図１４】実施形態３のＯＮＵ受信部の信号受信手順の一例である。
【図１５】実施形態３のＯＮＵ受信部のショートスリープ手順の一例である。
【発明を実施するための形態】
【００２２】
添付の図面を参照して、本発明の実施形態を説明する。以下に説明する実施形態は本発明の実施例であり、本発明は、以下の実施形態に制限されるものではない。なお、本明細書及び図面において同じ符号の構成要素は、相互に同一のものを示すものとする。各実施形態は可能な限り組み合わせることができる。また、各実施形態は非特許文献２に規定される“Ｄｏｚｉｎｇ”や“Ｃｙｃｌｉｃ  ｓｌｅｅｐ”といった従来のスリープ技術と組み合わせることもできる。
【００２３】
（実施形態１）
本実施形態は、本発明における基本的な実施形態であり、ＯＬＴから通知された情報に基づいて、各ＯＮＵが下り信号を受信しない時間帯または上り信号を送信しない時間帯に自律的にスリープする例である。上り信号とは上りデータを含むＯＮＵからＯＬＴに送信された信号の総称を、下り信号とは下りデータを含むＯＬＴからＯＮＵに送信される信号の総称を表す。
【００２４】
図１は、本発明の加入者側光通信装置（以下、「ＯＮＵ」と略す。）１０１が接続される受動光ネットワーク構成図を示したものである。図１に示すように、本発明は局側光終端装置（以下、「ＯＬＴ」と略す。）１０４と複数のＯＮＵ１０１が光スプリッタ１０２及び光ファイバ１０３を介して接続されるポイント・トゥ・マルチポイント型通信システムを想定する。本実施形態で説明するポイント・トゥ・マルチポイント型通信システムでは、接続される複数のＯＮＵのうち、少なくとも１つが本実施形態のＯＮＵ１０１とする。
【００２５】
図２は、本実施形態のＯＬＴ１０４及びＯＮＵ１０１間のメッセージのやり取り及びＯＮＵ１０１における送受信部の電力モードの様子を、タイムチャートを用いて示したものである。ＯＮＵ１０１の受信部は、ＯＬＴ１０４から自身宛ての下り信号ＤＬを受信する間のみ通常モード（図中において「ＯＮ」と表示する。）になり、それ以外の時間帯ΔｔＤ１〜ΔｔＤＮ＋１はショートスリープモード（図中において「ＯＦＦ」と表示する。）になる。送信部は上り信号ＵＬを送信する間のみ通常モードになり、それ以外の時間帯ΔｔＵ１〜ΔｔＵＭ＋１はショートスリープモードになる。
【００２６】
本実施形態のＯＬＴ１０４は、各ＯＮＵ１０１に対して上り信号ＵＬの送信許可時間を通知するＭＰＣＰのメッセージであるＧＡＴＥ２０１に、下り信号ＤＬの送信開始時刻を追加して送信する。上り信号ＵＬの送信許可時間とは、上り信号２２１〜２２Ｍの送信開始時刻及び送信継続時間である。下り信号ＤＬの送信開始時刻には、次回のＧＡＴＥ２０２送信までの間に送信する全ての下り信号２１１〜２１Ｎの送信開始時刻ｔＤ１〜ｔＤＮ、及び次回のＧＡＴＥ２０２の送信開始時刻ｔＧ２が含まれる。
【００２７】
なお、下り信号ＤＬの送信開始時刻は、ＧＡＴＥとは別のメッセージとして異なるタイミングに送信することもできる。その場合、ＯＬＴ１０４は各ＯＮＵ１０１に対して予め決められた時刻に通知するものとし、次回の通知までの間に送信する全ての下り信号ＤＬの送信開始時刻及び次回の通知時刻を載せたメッセージを通知する。または、下り信号ＤＬを送信するたびに該ＯＮＵ１０１への次回の下り信号ＤＬの送信開始時刻を決定し、下り信号ＤＬの送信とあわせて通知することもできる。
【００２８】
本実施形態のＯＬＴ１０４は、ＯＮＵ１０１への下りデータ用のキューを備える。ＯＬＴ１０４は、上位ネットワーク１１２からＯＮＵ１０１宛ての下りデータを受信した後、一旦キューにデータを蓄積する。
【００２９】
加入者側光通信装置の消費電力低減方法は、下り信号送信時の電力消費を低減するために、下り信号蓄積ステップと、下り信号送信情報通知ステップと、下り信号受信ステップと、を順に有する。下り信号蓄積ステップでは、ＯＬＴ１０４内のキューが下り信号を一時的に蓄積する。下り信号送信情報通知ステップでは、蓄積された下り信号の送信予定時間を含む下り信号送信情報を、ＯＬＴ１０４からＯＮＵ１０１へ通知する。下り信号受信ステップでは、下り信号送信情報で通知された下り信号の送信予定時間にＯＮＵ１０１における受信部が通常動作モードとなって下り信号を受信し、下り信号送信情報で通知された下り信号の送信予定時間以外の時刻にＯＮＵ１０１における受信部がショートスリープモードとなる。
【００３０】
図３は、本実施形態のＯＬＴ１０４の送信部における動作フローを示したものである。ＯＬＴ１０４における処理は、各ＯＮＵ１０１に対する下り信号の送信時刻を決定する下り信号送信情報生成手順及びＧＡＴＥ送信処理手順（Ｓ３０１〜Ｓ３０３）と、決定された送信時刻にあわせて下りデータを送信する下りデータ送信処理手順（Ｓ３０４〜Ｓ３０５）に大別される。下り信号送信情報通知ステップにおいて下り信号送信情報生成手順及びＧＡＴＥ送信処理手順を実行し、下り信号受信ステップにおいて、データ送信処理手順を実行する。
【００３１】
図４は、本実施形態のＯＬＴ１０４における下り信号送信情報生成手順の詳細を示したものである。下り信号送信情報生成手順は、ＧＡＴＥ２０１送信時刻ｔＧ１にあわせて実行される。下り信号送信情報決定部により、ＯＬＴ１０４はＯＮＵ１０１に対し、ＧＡＴＥ２０２を送信するまでの全ての下り信号の送信開始時刻ｔＤ１〜ｔＤＮ、ｔＧ２を決定する（Ｓ４０１）。その後、下り信号送信情報通知部により、下り信号の送信開始時刻ｔＤ１〜ｔＤＮ、ｔＧ２を下り信号送信情報としてＧＡＴＥ２０１に載せ（Ｓ４０２）、各ＯＮＵに通知する（Ｓ３０３）。下り信号の送信開始時刻の決定（Ｓ４０１）は、ＯＬＴ１０４の下りデータ用キューに蓄積されたデータ量等に基づいて動的に決定するが、蓄積されたデータ量によらず固定的に決定してもよい。その後、ＯＬＴ１０４はＯＮＵ１０１にＧＡＴＥ２０１を送信する。
【００３２】
本実施形態のＯＮＵ１０１は、ＯＬＴ１０４から信号を受信する受信部と、ＯＬＴ１０４へ信号を送信する送信部と、受信部及び送信部の電力モードを制御する制御部と、を備える。本実施形態のＯＮＵ１０１は、受信部と送信部のそれぞれにおいて、通常モードと、ショートスリープモードの２種類の電力モードを備える。通常モードとは、送信部においてＯＬＴ１０４からの送信許可時間にあわせて上り信号を送信する状態、または受信部において自身宛ての下り信号を受信する状態を表す。ショートスリープモードとは、上り信号の送信が許可されない時間または下り信号が自身宛てでない場合に、消費電力を低減させる状態を表す。受信部及び送信部は、それぞれ一部または全部の機能部をショートスリープする。
【００３３】
図５は、本実施形態のＯＮＵ１０１の受信部における動作フローを示したものである。ＯＮＵ１０１の受信部における処理は、信号を受信する下り信号受信手順（Ｓ５０１）と、信号を受信せず消費電力を低減する受信部ショートスリープ手順（Ｓ５０２）に大別される。
【００３４】
図６は、本実施形態のＯＮＵ１０１の受信部における下り信号受信手順の詳細を示したものである。ＯＮＵ１０１は自身宛ての信号の受信終了判定部を備え、自身宛ての信号のみを受信する（Ｓ６０１）。受信した下り信号のメッセージ種類を判断し（Ｓ６０２）、ＧＡＴＥ２０１であれば、上り信号の送信許可時間及び下り信号の受信開始時刻として下り信号送信情報ｔＤ１〜ｔＤＮ、ｔＧ２を更新する（Ｓ６０３〜Ｓ６０４）。また、受信した下り信号がデータ２１１〜２１２であれば、データ受信処理を施す（Ｓ６０５）。受信終了判定は信号に含まれる宛先情報を用いて判断されるが、送信終了を示すフラグ等を用いてＯＬＴ１０４が明示的に通知することもできる。
【００３５】
図７は、本実施形態のＯＮＵ１０１の受信部における受信部ショートスリープ手順の詳細を示したものである。受信部ショートスリープ手順は下り信号受信終了後に実行される。ＯＮＵ１０１はＯＬＴ１０４から通知された下り信号の受信開始時刻ｔＤ１〜ｔＤＮ、ｔＧ２から通常モードへの復帰時刻を決定する（Ｓ７０１）。その後、ショートスリープモードへの移行が可能であると判断された場合（Ｓ７０２）、受信部をショートスリープモードに移行する（Ｓ７０３）。ＯＮＵ１０１の内部時刻やタイマを用い、復帰時刻にあわせて受信部を通常モードに復帰する（Ｓ７０４〜Ｓ７０５）。
【００３６】
各受信部のショートスリープモードに移行するための移行時間及び通常モードに復帰するための復帰時間はそれぞれ異なる。ＯＮＵ１０１は最もスリープ移行時間および復帰時間が長い機能部に合わせてショートスリープ実行可否を判断する（Ｓ７０２）。なお、ショートスリープ開始時刻から次回下り信号受信時刻までの間にショートスリープすることができる受信部を選択することもできる。
ＯＮＵ１０１は受信部を通常モードに復帰した後、下り信号を受信する。
【００３７】
本実施形態のＯＮＵ１０１は、ＯＬＴ１０４への上りデータ用のキュー及び送信部を備える。ＯＮＵ１０１は、下位ネットワーク１１１からＯＬＴ１０４宛ての上りデータを受信した後、一旦キューにデータを蓄積する。
【００３８】
加入者側光通信装置の消費電力低減方法は、上り信号送信時の電力消費を低減するために、上り信号蓄積ステップと、上り信号送信情報通知ステップと、上り信号送信ステップと、を順に有する。上り信号蓄積ステップでは、ＯＮＵ１０１内のキューが上り信号を一時的に蓄積する。上り信号送信情報通知ステップでは、上り信号の送信許可時間を含む上り信号送信情報を、ＯＬＴ１０４からＯＮＵ１０１へ通知する。上り信号送信ステップでは、上り信号送信情報で通知された上り信号の送信許可時間にＯＮＵ１０１における送信部が通常動作モードとなって上り信号を送信し、上り信号送信情報で通知された上り信号の送信許可時間以外の時刻にＯＮＵ１０１における送信部がショートスリープモードとなる。
【００３９】
図８は、本実施形態のＯＮＵ１０１の送信部における動作をフローチャートを用いて示したものである。ＯＮＵ１０１はＯＬＴ１０４から通知された上り信号の送信許可時間に、上り信号を送信する（Ｓ８０１）。上り信号を送信後、送信部をショートスリープモードに移行する（Ｓ８０２）。ＯＮＵ１０１は次回の上り信号の送信開始時刻にあわせて、送信部を通常モードに復帰する（Ｓ８０３〜Ｓ８０４）。次回の上り信号の送信開始時刻は、受信部の動作においてＧＡＴＥ２０１を受信した際に更新され（Ｓ６０３）、ＯＮＵ１０１はその情報にあわせて、送信部を通常モードへ復帰する。
【００４０】
（実施形態２）
本実施形態は、ＯＬＴ１０４からＯＮＵ１０１に対して下り信号の送信時間間隔ΔｔＤ１〜ΔｔＤＮ＋１を通知することによって、ＯＮＵ１０１が下り信号を受信しない時間帯に自律的に受信部をスリープする例である。上り信号を送信しない時間帯に送信部をスリープする方法は、実施形態１と同様である。
【００４１】
本実施形態で前提とする受動光ネットワークは、実施形態１と同じく図１に示される構成である。また、ＯＬＴ１０４送信部の動作フロー、ＯＮＵ１０１受信部の動作フロー、及びＯＮＵ１０１送信部の動作フローは、それぞれ実施形態１と同様に図３、図５、及び図８で示される。
【００４２】
本実施形態のＯＬＴ１０４はＧＡＴＥ２０１に、下り信号の送信終了時刻から次回の下り信号の送信開始時刻までの時間ΔｔＤ１〜ΔｔＤＮ＋１を追加して送信する。なお、この情報は実施形態１と同様に、ＧＡＴＥ２０１とは別のメッセージとして異なるタイミングに送信することもできる。
【００４３】
図９は、本実施形態のＯＬＴ１０４における下り信号送信情報生成手順の詳細を示したものである。ＯＬＴ１０４は、下り信号送信情報決定部及び下り信号送信情報通知部を備える。ＯＬＴ１０４は下り信号送信情報決定部により、ＯＮＵ１０１への下り信号送信開始時刻ｔＤ１〜ｔＤＮ、ｔＧ２を決定する（Ｓ９０１）。その後、下り信号送信情報通知部により、各下り信号の送信時間間隔ΔｔＤ１〜ΔｔＤＮ＋１を算出し（Ｓ９０２）、下り信号送信情報としてＧＡＴＥに載せ（Ｓ９０３）、各ＯＮＵに通知する（Ｓ３０３）。
【００４４】
図１０は、本実施形態のＯＮＵ１０１の受信部における下り信号受信手順の詳細を示したものである。実施形態１との違いは、ＧＡＴＥ受信時において、下り信号受信開始時刻として下り信号送信情報ｔＤ１〜ｔＤＮ、ｔＧ２を更新する（Ｓ６０４）代わりに受信時間間隔ΔｔＤ１〜ΔｔＤＮ＋１を更新する（Ｓ１００４）点にある。
【００４５】
図１１は、本実施形態のＯＮＵ１０１の受信部における受信部ショートスリープ手順の詳細を示したものである。ＯＮＵ１０１はＯＬＴ１０４から通知された下り信号の受信時間間隔ΔｔＤ１〜ΔｔＤＮ＋１からショートスリープ時間を決定する（Ｓ１１０１）。その後、ショートスリープモードへの移行が可能であると判断された場合（Ｓ１１０２）、受信部をショートスリープモードに移行する（Ｓ１１０３）。ＯＮＵ１０１の内部時刻やタイマを用い、ショートスリープ時間経過後、受信部を通常モードに復帰する（Ｓ１１０４〜Ｓ１１０５）。
【００４６】
ＯＮＵ１０１はスリープ移行時間および復帰時間が最も長い機能部に合わせてショートスリープ実行可否を判断する（Ｓ１１０２）。なお、ショートスリープ開始時刻から次回下り信号受信時刻までの間にショートスリープすることができる受信部を選択することもできる。
【００４７】
（実施形態３）
本実施形態は、ＯＬＴ１０４からＯＮＵ１０１に対して次回のＧＡＴＥ２０２までの間に該ＯＮＵ１０１への下りデータが存在するか否かを通知することによって、下りデータがない場合にＯＮＵ１０１が自律的にショートスリープモードに移行し、次回のＧＡＴＥ２０２を受信する前に通常モードに復帰する例である。
【００４８】
本実施形態で前提とする受動光ネットワークは、実施形態１と同じく図１に示される構成である。また、ＯＬＴ１０４送信部の動作フロー、ＯＮＵ１０１受信部の動作フロー、及びＯＮＵ１０１送信部の動作フローは、それぞれ実施形態１と同様に図３、図５、及び図８で示される。
【００４９】
図１２は、本実施形態のＯＬＴ１０４及びＯＮＵ１０１間のメッセージのやり取り及びＯＮＵ１０１における受信部の電力モードの様子を、タイムチャートを用いて示したものである。送信部は実施形態１と同様である。ＯＮＵ１０１はＯＬＴ１０４から通知されたＧＡＴＥ１２０１〜１２０４を参照し、下りデータ送信が存在すると判断した場合に通常モードを維持し、下りデータ送信が存在しないと判断した場合には、次回のＧＡＴＥ受信予定時刻までショートスリープモードになる。
【００５０】
図１３は、本実施形態のＯＬＴ１０４の送信部における下り信号送信情報生成手順を示したものである。実施形態１との違いは、下り信号送信情報決定部にて、下り信号送信情報として下り信号の送信開始時刻ｔＤ１〜ｔＤＮ、ｔＧ２を決定してＧＡＴＥに追加する（Ｓ４０１〜Ｓ４０２）かわりに、次回のＧＡＴＥ通知までの下り信号の送信有無を追加する（Ｓ１３０１〜Ｓ１３０２）点にある。
【００５１】
図１４は、本実施形態のＯＮＵ１０１の受信部における下り信号受信手順の詳細を示したものである。実施形態１との違いは、下り信号の受信開始時刻として下り信号送信情報ｔＤ１〜ｔＤＮ、ｔＧ２を更新する（Ｓ６０４）かわりに、次回のＧＡＴＥ通知までの下り信号の受信有無情報を更新する（Ｓ１４０４）点にある。
【００５２】
図１５は、本実施形態におけるＯＮＵ１０１の受信部における受信部ショートスリープ手順の詳細を示したものである。ＯＮＵ１０１は、次回ＧＡＴＥ受信までの下り信号の受信有無情報に基づいて、ショートスリープ可否を判断する（Ｓ１５０１）。ショートスリープ可能の場合、ＯＮＵ１０１はＯＬＴ１０４より予め通知されたＧＡＴＥ送信周期に基づいて、通常モードへの復帰時刻を算出する（Ｓ１５０２）。その後、受信部をショートスリープモードに移行し（Ｓ１５０３）、復帰時刻にあわせて通常モードに復帰する（Ｓ１５０４〜Ｓ１５０５）。なお、ＧＡＴＥ送信周期はＯＮＵ１０１が自身で経験的に算出してもよい。
【産業上の利用可能性】
【００５３】
本発明は情報通信産業に適用することができる。
【符号の説明】
【００５４】
１０１：ＯＮＵ
１０２：光スプリッタ
１０３：光ファイバ
１０４：ＯＬＴ
１１１：下位ネットワーク
１１２：上位ネットワーク
【図１】
2014007707.tif 000003
【図２】
2014007707.tif 000004
【図３】
2014007707.tif 000005
【図４】
2014007707.tif 000006
【図５】
2014007707.tif 000007
【図６】
2014007707.tif 000008
【図７】
2014007707.tif 000009
【図８】
2014007707.tif 000010
【図９】
2014007707.tif 000011
【図１０】
2014007707.tif 000012
【図１１】
2014007707.tif 000013
【図１２】
2014007707.tif 000014
【図１３】
2014007707.tif 000015
【図１４】
2014007707.tif 000016
【図１５】
2014007707.tif 000017